(57)【要約】【課題】緊張材を容易に挿入でき、緊張材の緊張時にシースを破損させることのないシースの設置方法及びシースの設置装置を提供すること。【解決手段】シース５を利用して緊張材８を構造物の外部に配置するプレストレストコンクリート構造物７のシースの設置方法において、コンクリートを打設して構造物を構築し、前記緊張材を挿入する外ケーブル用のシースを、該シースに緊張力を導入して前記構造物の外部に設置することを特徴とする方法である。また、シースの設置装置１は、スライド式のガイド部２と、ガイド部から突出するアーム部３と、前記アーム部に設けたシースを把持する把持部４と、からなり、前記ガイド部をスライドさせると前記把持部が連動して移動するものである。【選択図】　　　　図１
2004036145.tif 000002
【特許請求の範囲】
【請求項１】
シースを利用して緊張材を構造物の外部に配置するプレストレストコンクリート構造物のシースの設置方法において、
コンクリートを打設して構造物を構築し、
前記緊張材を挿入する外ケーブル用のシースを、該シースに緊張力を導入して前記構造物の外部に設置することを特徴とする、
シースの設置方法。
【請求項２】
スライド式のガイド部と、
ガイド部から突出するアーム部と、
前記アーム部に設けたシースを把持する把持部と、からなり、
前記ガイド部をスライドさせると前記把持部が連動して移動する、シースの設置装置。
【発明の詳細な説明】
【０００１】
【発明の属する技術分野】
本発明は、橋梁の主桁などのプレストレストコンクリート構造物に配置する緊張材（ＰＣ鋼材など）を挿入するためのシースの設置方法及びシースの設置装置に関するものである。
【０００２】
【従来の技術】
近年、ＰＣ橋梁はカンチレバー工法の採用等、様々な研究、技術開発により長スパン化が進んでおり、スパンが２００ｍを越えるＰＣ斜張橋も数多く建設されている。長スパン化において自重の軽減、すなわち桁の軽量化が必要不可欠である。
これに伴い従来はＰＣ鋼材（緊張材）をコンクリート部材内部に配置していたが、ＰＣ鋼材の交換が可能であり、またウェブ厚の減少により自重を軽減することができる外ケーブル構造の採用が増加している。外ケーブルの防食方法としてグラウト充填が容易に確認できる利点を持つ透明シース（塩化ビニル樹脂製）を採用する実績が増加している。
透明シースを接続する方法として、ＰＣ鋼材の定着部や偏向部のコンクリートを打設する際に予め透明シースを埋め込んでおき、コンクリート硬化後に各定着部、偏向部間に長尺物の透明シースを接続する一重管方式が実施されている。
【０００３】
【発明が解決しようとする課題】
前記した従来のシースの設置方法にあっては、次のような問題点がある。
＜イ＞一重管方式によって透明シースを接続する際、透明シースにたわみが生じるとＰＣ鋼材の挿入が困難になる。
＜ロ＞透明シースがたわんだ状態で設置されると、ＰＣ鋼材を緊張するときにＰＣ鋼材の張力により透明シースが変形し、破損する場合がある。
【０００４】
【発明の目的】
本発明は上記したような従来の問題を解決するためになされたもので、緊張材を容易に挿入できるシースの設置方法及びシースの設置装置を提供することを目的とする。
また、緊張材の緊張時にシースを破損させることのないシースの設置方法及びシースの設置装置を提供することを目的とする。
本発明は、これらの目的の少なくとも一つを達成するものである。
【０００５】
【課題を解決するための手段】
上記のような目的を達成するために、本発明のシースの設置方法は、シースを利用して緊張材を構造物の外部に配置するプレストレストコンクリート構造物のシースの設置方法において、コンクリートを打設して構造物を構築し、前記緊張材を挿入する外ケーブル用のシースを、該シースに緊張力を導入して前記構造物の外部に設置することを特徴とする方法である。
【０００６】
また、本発明のシースの設置装置は、スライド式のガイド部と、ガイド部から突出するアーム部と、前記アーム部に設けたシースを把持する把持部と、からなり、前記ガイド部をスライドさせると前記把持部が連動して移動するものである。
【０００７】
【発明の実施の形態】
以下、図面を参照しながら本発明の実施の形態について説明する。
【０００８】
＜イ＞適用条件
本発明は、緊張材８を構造物の外部に配置するポストテンション方式のプレストレストコンクリート構造物７に適用する。
外部に配置する緊張材８はシース５に挿入して配置する。
【０００９】
＜ロ＞緊張材及びシース
緊張材８は、プレストレストコンクリート構造物７に緊張力を導入する材料である。緊張材８には、ＰＣ鋼線、ＰＣ鋼より線、ＰＣ鋼棒などのプレストレストコンクリートに使用する公知の緊張材が適用できる。
シース５は、緊張材８を挿入する管材である。シース５には塩化ビニル樹脂などの樹脂製シース、薄鉄板製のシース等が使用できる。樹脂製シースを使用する場合は、緊張材８の配置状態やグラウトの充填状態が確認できる透明シースを使用するのが好ましい。
【００１０】
＜ハ＞シースの設置装置（図１，２）
シースの設置装置１は、ガイド部２とアーム部３と把持部４で構成する。
ガイド部２は、スライド式に構成され、プレストレストコンクリート構造物７に固定する固定部２２と、固定部２２に沿ってスライドするスライド部２１からなる。例えば、スライド部２１を一辺が８０ｍｍの角型鋼管で構成し、固定部２２を一辺が９０ｍｍの角型鋼管で構成する。ガイド部２は、前記したような二重管方式に限定されるものではなく、固定部２２にスライド部２１がスライドするための溝とスリットを設けたものであってもよい。ガイド部２の固定部２２には、例えば万力のような固定器具２３を取り付けて容易にプレストレストコンクリート構造物７に固定できるようにしておく。
【００１１】
アーム部３は、ガイド部２のスライド部２１から突出するように取り付ける。例えば、スライド部２１と直交するようにアーム部３を固定する。アーム部３には曲げモーメントが作用するので補強板３２などを取り付けて補強するのが好ましい。
【００１２】
把持部４は、アーム部３の例えば先端に取り付けるシース５を把持する部材である。把持部４でシース５を把持した状態で把持部４を動かすことによって、シース５に緊張力を導入するため、緊張力の導入時にシース５が抜け出さない程度の把持力を有する構成とする。例えばΩ状の半円材を組み合わせてボルト４１で締結するようにして把持部４を構成する。
【００１３】
以下、橋梁の上床版から突出した定着リブ７２間にシースを設置する実施例を参照にしてシースの設置方法について説明する。
【００１４】
＜イ＞ガイド部の固定
緊張材８の定着部や偏向部に設ける定着リブ７２には、予め定着リブ７２より少し長めのシース５１を埋設しておく。そして、定着リブ７２の下端にガイド部２の固定部２２を固定する。固定は、固定器具２３のボルトを締め付けることによっておこなう。
次に、固定部２２の内空に、スライド部２１を所定の位置まで挿入する。スライド部２１には予めアーム部３を取り付けておく。
【００１５】
＜ロ＞シースの固定
アーム部３の先端に取り付けた把持部４に、接続するシース５を固定する。ここで、シース５の他端（図１の右側端部）は、設置済みのシース５などに固定されている。
把持部４におけるシース５の固定は、ボルトを締め付けることによっておこなう。
そして、スライド部２１の端部に取り付けた係留具６１と、固定部２２の端部に取り付けた係留具６２の間にレバーブロック６３などの引寄せ装置を配置する。
【００１６】
＜ハ＞シースの引き寄せ
レバーブロック６３を稼動してスライド部２１を固定部２２に引き寄せると、アーム部３を介して把持部４に取り付けられたシース５の端部が、定着リブ７２に向けて引き寄せられる。シース５の他端は予め他の設置済みのシース等に接続されて固定されているので、シース５の端部を引き寄せるとシース５に緊張力が導入される。
そして、緊張力を導入したシース５を、埋設したシース５１にジョイント５２を利用して接続する。
シース５を接続した後に、緊張材８を挿入してプレストレストコンクリート構造物７にプレストレスを導入する。
シース５内には、必要に応じて防食用にグラウトなどの充填材を充填する。透明のシース５を使用した場合、充填状態を容易に確認することができる。
【００１７】
【発明の効果】
本発明のシースの設置方法及びシースの設置装置は、以上説明したようになるから次のような効果を得ることができる。
＜イ＞シースに緊張力が導入されており、設置したシースにたるみが出ないため、容易に緊張材をシースに挿入することができる。また、緊張材の緊張時にシースを破損させることがない。
＜ロ＞簡単な装置でシースに緊張力を導入できる。また、着脱が容易であるため、転用も容易におこなうことができる。
【図面の簡単な説明】
【図１】本発明のシースの設置方法の実施例の説明図。
【図２】図１のシースの設置方法の実施例のＡ−Ａ断面図。
【図３】外部に緊張材及びシースを配置した橋梁の主桁の断面図。
【符号の説明】
１・・・シースの設置装置
２・・・ガイド部
３・・・アーム部
４・・・把持部
５・・・シース
７・・・プレストレストコンクリート構造物
８・・・緊張材
【図１】
2004036145.tif 000003
【図２】
2004036145.tif 000004
【図３】
2004036145.tif 000005